(57)【要約】【課題】装置本体に対して着脱可能なユニットを備える画像形成装置において、ユニットの着脱障害を抑制することを目的とする。【解決手段】画像形成装置１は、第１レバー５５を有する現像カートリッジ５１と、第１ボス９１３を有する第２レバー９１と、バネ９２と、バネ９２の付勢力に抗して第１ボス９１３と当接する第２ボス９３２を偏心位置に有する駆動ギヤ９３とを備える。第２レバー９１は、第１レバー５５を押圧する第１位置と、駆動ギヤ９３が回転することによって第２ボス９３２が第１ボス９１３に当接して第１レバー５５から退避し現像カートリッジ５１を着脱可能とする第２位置との間で揺動可能であり、第１レバー５５を押圧している第１位置にあるときに現像カートリッジ５１が取り出される方向に変位すると第１レバー５５に押されてバネ９２の付勢力に抗して第２位置へ向かって揺動する。【選択図】図５
2020154164.tif 000002
【特許請求の範囲】
【請求項１】
装置本体と、
前記装置本体に対して着脱可能に装着され、揺動可能な第１レバーを有するユニットと、
回動軸心を中心に揺動可能に前記装置本体に設けられ、装着された前記ユニットの前記第１レバーを押圧可能であり、前記回動軸心方向に突出した第１ボスを有する第２レバーと、
前記第２レバーが前記第１レバーを押圧する方向に前記第２レバーを付勢するバネと、
回転可能に前記装置本体に設けられ、前記バネの付勢力に抗して前記第１ボスと当接する第２ボスを偏心位置に有する駆動ギヤと、を備え、
前記第２レバーは、前記バネによって付勢されて前記第１レバーを押圧する第１位置と、前記駆動ギヤが回転することによって前記第２ボスが前記第１ボスに当接して前記第１レバーから退避し前記ユニットを着脱可能とする第２位置との間で揺動可能であり、前記第１レバーを押圧している前記第１位置にあるときに前記ユニットが取り出される方向に変位すると前記第１レバーに押されて前記バネの付勢力に抗して前記第２位置へ向かって揺動することを特徴とする画像形成装置。
【請求項２】
前記駆動ギヤは、前記第１位置にある前記第２レバーが前記第１レバーで押され、前記第２レバーが前記第２位置を越えた第３位置へ揺動したときに、前記第１ボスと当接して前記第２レバーの揺動を規制する規制部を有することを特徴とする請求項１に記載の画像形成装置。
【請求項３】
前記規制部は、前記第２ボスとの間に溝部を形成するように前記第２ボスを囲む環形状を有し、
前記溝部は、前記駆動ギヤの回転方向に沿って幅が変化する形状を有することを特徴とする請求項２に記載の画像形成装置。
【請求項４】
前記第２レバーは、前記回動軸心から前記第１ボスまでの距離が前記回動軸心から前記第１レバーに当接する当接部までの距離よりも短く構成されることを特徴とする請求項１から請求項３の何れか一項に記載の画像形成装置。
【請求項５】
前記第２レバーの回動軸心方向に沿って、前記駆動ギヤ、前記第２レバー、前記バネの順に配置されることを特徴とする請求項１から請求項４の何れか一項に記載の画像形成装置。
【請求項６】
前記第２ボスが円柱形状であることを特徴とする請求項１から請求項５の何れか一項に記載の画像形成装置。
【請求項７】
前記ユニットは、現像剤を収容する現像カートリッジであり、
前記第１レバーは、前記現像剤を撹拌する撹拌部材の駆動を制御するレバーであることを特徴とする請求項１から請求項６の何れか一項に記載の画像形成装置。
【発明の詳細な説明】
【技術分野】
【０００１】
本発明は、装置本体に対して着脱可能なユニットを備える画像形成装置に関する。
【背景技術】
【０００２】
従来から現像剤を収容する現像カートリッジを着脱可能に装着した画像形成装置が知られている。通常、現像カートリッジには現像剤を撹拌する撹拌部材が設けられており、撹拌部材は装置本体からの駆動力によって駆動されるようになっている。例えば特許文献１には、現像カートリッジに撹拌部材の駆動を制御するレバーが設けられ、このレバーを装置本体側のレバーで押すことによって撹拌部材を駆動させる構成が開示されている。
【先行技術文献】
【特許文献】
【０００３】
【特許文献１】特開２０１７−１８１９４９号公報
【発明の概要】
【発明が解決しようとする課題】
【０００４】
しかしながら、特許文献１の構成によれば、停電等によって装置本体側のレバーが現像カートリッジ側のレバーを押している状態で停止した場合、現像カートリッジを引き出す方向において現像カートリッジのレバーが装置本体側のレバーに引っ掛かり、引き出すことができないなどの障害が生じる。
【０００５】
画像形成装置におけるこのような着脱障害は、現像カートリッジだけでなく、シートカセットなど着脱可能なユニットであれば、同様に生じる可能性がある。
【０００６】
本発明は、装置本体に対して着脱可能なユニットを備える画像形成装置において、ユニットの着脱障害を抑制することを目的とする。
【課題を解決するための手段】
【０００７】
本発明の画像形成装置（１）は、装置本体（２）と、前記装置本体（２）に対して着脱可能に装着され、揺動可能な第１レバー（５５）を有するユニット（５１）と、回動軸心（Ｒ）を中心に揺動可能に前記装置本体（２）に設けられ、装着された前記ユニット（５１）の前記第１レバー（５５）を押圧可能であり、前記回動軸心（Ｒ）方向に突出した第１ボス（９１３）を有する第２レバー（９１）と、前記第２レバー（９１）が前記第１レバー（５５）を押圧する方向に前記第２レバー（９１）を付勢するバネ（９２）と、回転可能に前記装置本体（２）に設けられ、前記バネ（９２）の付勢力に抗して前記第１ボス（９１３）と当接する第２ボス（９３２）を偏心位置に有する駆動ギヤ（９３）と、を備え、前記第２レバー（９１）は、前記バネ（９２）によって付勢されて前記第１レバー（５５）を押圧する第１位置と、前記駆動ギヤ（９３）が回転することによって前記第２ボス（９３２）が前記第１ボス（９１３）に当接して前記第１レバー（５５）から退避し前記ユニット（５１）を着脱可能とする第２位置との間で揺動可能であり、前記第１レバー（５５）を押圧している前記第１位置にあるときに前記ユニット（５１）が取り出される方向に変位すると前記第１レバー（５５）に押されて前記バネ（９２）の付勢力に抗して前記第２位置へ向かって揺動することを特徴とする。
【発明の効果】
【０００８】
本発明によれば、第２レバーが第１レバーを押圧している状態でユニットが引き出された場合、第１レバーが第２レバーを押し、第１ボスが第２ボスから離れることにより、第２レバーが第２位置へ向かって揺動する。よって、第１レバーが第２レバーに引っ掛かってユニットの着脱障害となることが抑制される。
【図面の簡単な説明】
【０００９】
【図１】一実施形態の画像形成装置の中央断面図である。
【図２】第２レバーが第１位置にあるときの第２レバー周辺の拡大右側面図である。
【図３】第２レバーが第２位置にあるときの第２レバー周辺の拡大右側面図である。
【図４】第２レバーの斜視図である。
【図５】第２レバーが第１位置にあるときの第２レバーと駆動ギヤとバネとを示す拡大右側面図である。
【図６】図５の正面図である。
【図７】図５において第２レバーが第２位置に変位した状態を示す図である。
【図８】図５において第２レバーが第３位置に変位した状態を示す図である。
【発明を実施するための形態】
【００１０】
［画像形成装置の全体構成］
図１は、本発明の一実施形態の画像形成装置１の中央断面図である。以下の説明では、図１に示すように画像形成装置１が使用可能に設置された状態を基準とし、シートカセット１０が引き出される側を前、その反対側を後とし、画像形成装置１を前側から見て左右方向を規定し、さらに画像形成装置１の排出トレイ８２側を上、その反対を下とし、各方向を定める。
【００１１】
画像形成装置１は、装置本体２と、供給ユニット３と、モータ４と、画像形成ユニット５と、排出ユニット８とを備える。
【００１２】
装置本体２は、画像形成装置１の各構成部材を支持するフレームと、画像形成装置１の外観を構成する外装カバーとを備える。装置本体２の下部にはシートカセット１０を収納する収納部２Ａが形成されている。供給ユニット３は、画像形成装置１の下部に配置され、シートＳを画像形成ユニット５へ搬送するものである。
【００１３】
画像形成ユニット５は、供給ユニット３よりもシートＳの搬送方向下流側に配置され、供給ユニット３から搬送されてきたシートＳに画像を形成するものである。排出ユニット８は、画像形成ユニット５よりもシートＳの搬送方向下流側に配置され、画像形成ユニット５により画像が形成されたシートＳを画像形成装置１の外部へ排出して支持するものである。
【００１４】
供給ユニット３は、シートカセット１０と、供給機構２０と、搬送ローラ２４と、レジストローラ２５とを備える。
【００１５】
シートカセット１０は、装置本体２の収納部２Ａに収納された収納位置と、収納部２Ａから引き出された引出位置との間を前後方向に沿ってスライド可能に構成される。シートカセット１０は、複数枚のシートＳを収容可能なカセット本体１１と、カセット本体１１に配置されシートＳを上下方向に変位可能に支持する圧板１２と、圧板１２を上昇させる圧板上昇部材１３とを有する。圧板上昇部材１３はモータ４によって駆動される。図１では、圧板上昇部材１３の上昇によって圧板１２が持ち上げられ、圧板１２上に積載されているシートＳが供給可能位置まで上昇させられた状態を示している。
【００１６】
供給機構２０はシートカセット１０に積載されるシートＳを一枚ずつ分離して取り出し、搬送ローラ２４へ向けて搬送する機構である。供給機構２０は、ピックアップローラ２１と、分離ローラ２２と、分離パッド２３とを備える。
【００１７】
ピックアップローラ２１は圧板１２により供給可能位置まで上昇されたシートＳを取り出すためのローラであり、圧板１２の上方に配置されている。分離ローラ２２はピックアップローラ２１よりもシートＳの搬送方向下流側に配置されており、分離パッド２３は分離ローラ２２に対向配置されるとともに分離ローラ２２に向けて付勢されている。
【００１８】
ピックアップローラ２１により取り出されたシートＳは分離ローラ２２側へ送り出され、分離ローラ２２と分離パッド２３との間で１枚ずつに分離され、搬送ローラ２４に向けて搬送される。
【００１９】
搬送ローラ２４はシートＳに搬送力を付与するローラであり、供給機構２０よりもシートＳの搬送方向下流側に配置されている。供給機構２０から搬送ローラ２４に向けて搬送されてきたシートＳはレジストローラ２５へ向けて搬送される。
【００２０】
レジストローラ２５は搬送ローラ２４よりもシートＳの搬送方向下流側に配置されている。レジストローラ２５は搬送されるシートＳの先端の移動を規制して一旦停止させた後、所定のタイミングにて転写位置に向けて搬送する。
【００２１】
画像形成ユニット５は、供給ユニット３から搬送されてきたシートＳの表面に画像を転写するプロセスユニット５０と、プロセスユニット５０の感光体ドラム５６の表面を露光する露光ユニット６０と、プロセスユニット５０によりシートＳに転写された画像を定着させる定着ユニット７０とを備える。
【００２２】
プロセスユニット５０は装置本体２におけるシートカセット１０の収納位置よりも上方に配置されている。プロセスユニット５０は、ユニットの一例としての現像カートリッジ５１と、感光体ドラム５６と、転写ローラ５７とを備える。現像カートリッジ５１は、現像剤収容室５２と、供給ローラ５３と、現像ローラ５４と、第１レバー５５とを備える。なお、感光体ドラム５６は現像カートリッジ５１に設けられていてもよい。現像カートリッジ５１は、装置本体２に対して着脱可能であり、装置本体２に収納されて装着された装着位置（図１に示す位置）と、装置本体２から取り出された取出位置との間を前後方向に沿ってスライド可能に構成される。
【００２３】
現像剤収容室５２には現像剤となるトナーが収容されている。現像剤収容室５２に収容されたトナーは、撹拌部材５２１により撹拌されながら供給ローラ５３に送られる。供給ローラ５３は現像剤収容室５２から送られてくるトナーをさらに現像ローラ５４へ供給する。現像ローラ５４は供給ローラ５３に密着して配置されており、供給ローラ５３から供給されるとともに図示しない摺接部材により帯電されたトナーを担持する。
【００２４】
第１レバー５５は、撹拌部材５２１の駆動を制御するレバーであり、特開２０１７−１８１９４９号公報のレバー５０と同様の公知の構成を有する。第１レバー５５は、前後方向に揺動可能に現像カートリッジ５１の左側面に設けられており、図２の状態に傾くと撹拌部材５２１が駆動され、図３の状態になった場合撹拌部材５２１が停止するように構成されている。第１レバー５５の揺動先端部は現像カートリッジ５１から上方へ突出しており、装置本体２に設けられた第２レバー９１によって押圧可能である。
【００２５】
感光体ドラム５６は現像ローラ５４に隣接して配置されている。感光体ドラム５６の表面は図示しない帯電器により一様に帯電された後、露光ユニット６０により露光される。感光体ドラム５６の露光された部分は他の部分よりも電位が低くなり、感光体ドラム５６に画像データに基づく静電潜像が形成される。そして、静電潜像が形成された感光体ドラム５６の表面に、帯電されたトナーが現像ローラ５４から供給されることにより、静電潜像が顕像化されて現像剤像となる。
【００２６】
転写ローラ５７は感光体ドラム５６に対向配置される。転写ローラ５７の表面に転写バイアスがされている状態で、現像剤像が形成された感光体ドラム５６と転写ローラ５７との間（転写位置）でシートＳを挟持しなから搬送することにより、感光体ドラム５６の表面に形成された現像剤像がシートＳの表面に転写される。
【００２７】
露光ユニット６０は、レーザダイオードと、ポリゴンミラーと、レンズと、反射鏡とを備えており、画像形成装置１に入力された画像データに基づいてレーザ光を感光体ドラム５６へ向けて照射することにより、感光体ドラム５６の表面を露光する。
【００２８】
定着ユニット７０は、加熱ローラ７１と、押圧ローラ７２とを備えている。加熱ローラ７１はモータ４からの駆動力により回転駆動され、加熱ローラ７１は図示しない電源から電力を供給することで加熱される。押圧ローラ７２は加熱ローラ７１に対向配置されており、加熱ローラ７１に密着して従動回転する。現像剤像が転写されたシートＳが定着ユニット７０に搬送されてくると、加熱ローラ７１と押圧ローラ７２との間でシートＳを挟持しながら搬送し、シートＳに現像剤像を定着させる。
【００２９】
排出ユニット８は、排出ローラ８１と、排出トレイ８２とを備える。排出ローラ８１は一対のローラであり、定着ユニット７０から搬送されてくるシートＳを装置本体２の外部へ向けて排出する。排出トレイ８２には排出ローラ８１により装置本体２の外部に排出されたシートＳが堆積される。
【００３０】
このような画像形成装置１において、停電等によって突然電源が落ちることを想定した場合、装置本体２側の第２レバー９１が現像カートリッジ５１側の第１レバー５５を押している状態で停止することがある。このとき、第１レバー５５が第２レバー９１に引っ掛かり、現像カートリッジ５１を引き出すことができないという着脱障害を回避するため、以下のような構成としている。
【００３１】
［着脱障害を回避する構成］
まず、第１レバー５５及び第２レバー９１の通常の動作について説明する。図２は、第２レバー９１が第１位置にあるときの第２レバー９１周辺の拡大右側面図である。図３は、第２レバー９１が第２位置にあるときの第２レバー９１周辺の拡大右側面図である。
【００３２】
第２レバー９１は、左右方向に延びる回動軸心Ｒを中心に揺動可能に装置本体２に設けられる。第２レバー９１は、モータ４によって駆動され、装着された現像カートリッジ５１の第１レバー５５を押圧する第１位置（図２に示す位置）と、第１レバー５５から退避し現像カートリッジ５１を着脱可能とする第２位置（図３に示す位置）との間で揺動可能である。
【００３３】
第１位置にある第２レバー９１は、第１レバー５５に当接する当接部９１Ａが回動軸心Ｒの下方に位置する状態となる。このとき、装着位置にある現像カートリッジ５１においては、第１レバー５５が第２レバー９１によって後方向へ押圧され、撹拌部材５２１へモータ４からの駆動力を伝達する伝達位置に揺動する。
【００３４】
一方、第２位置にある第２レバー９１は、当接部９１Ａが回動軸心Ｒの前方に位置し、第１レバー５５から退避する状態となる。このとき、装着位置にある現像カートリッジ５１においては、第１レバー５５が図３に示すような鉛直方向に沿い撹拌部材５２１へのモータ４からの駆動力を切断する切断位置に揺動する。これにより、現像カートリッジ５１は、第１レバー５５が第２レバー９１に引っ掛からずに前方へ引き出し可能となる。
【００３５】
次に、図２の状態において現像カートリッジ５１を引き出し可能とするための構成について説明する。図４は、第２レバー９１の斜視図である。図５は、第２レバー９１が第１位置にあるときの第２レバー９１と駆動ギヤ９３とバネ９２とを示す拡大右側面図であり、図６は、その正面図である。図７は、図５において第２レバー９１が第２位置に変位した状態を示す図である。図８は、図５において第２レバー９１が第３位置に変位した状態を示す図である。
【００３６】
図４に示すように、第２レバー９１は、軸部９１１と、レバー部９１２と、第１ボス９１３とを有している。軸部９１１は、左右方向に延びる円筒状の部材であり、装置本体２に設けられた棒状の支持部２Ｂ（図６参照）に回動軸心Ｒを中心に回動可能に外嵌される。レバー部９１２は、軸部９１１の外周面から径方向に延びる四角柱状の部材であり、その先端部が第１レバー５５に当接する当接部９１Ａとなる。
【００３７】
第１ボス９１３は、レバー部９１２の左面における軸部９１１近傍から回動軸心Ｒに沿って左方へ延びる円柱状の部材であり、その先端部は軸部９１１の左面よりも左方へ突出している。図５に示すように、第２レバー９１は、回動軸心Ｒから第１ボス９１３までの距離Ｌ１が回動軸心Ｒから当接部９１Ａまでの距離Ｌ２よりも短く構成される。これにより、第２レバー９１が回動軸心Ｒを中心に揺動する際、第１ボス９１３の変位量が当接部９１Ａの変位量よりも小さくなるため、第２レバー９１を小型化できる。
【００３８】
図５及び図６に示すように、第２レバー９１の右側にはバネ９２が配置され、第２レバー９１の左側には駆動ギヤ９３が配置されている。第２レバー９１の回動軸心Ｒ方向に沿って、駆動ギヤ９３、第２レバー９１、バネ９２の順に配置されることにより、各部材を回動軸心Ｒ方向に沿って一方向から組み付けることができ、作業性がよい。本実施形態では、左から右方向へバネ９２、第２レバー９１、駆動ギヤ９３の順に装置本体２へ組み付けることができる。
【００３９】
バネ９２は、ねじりコイルバネであり、コイル部９２Ａが装置本体２の支持部２Ｂに外嵌し、一端部９２Ｂが第２レバー９１のレバー部９１２における当接部９１Ａと反対側の側面に係合し、他端部９２Ｃが装置本体２に係合している。これにより、バネ９２は、図５において第２レバー９１を後方向に付勢する。つまり、バネ９２は、第２レバー９１が第１レバー５５を押圧する方向に第２レバー９２を付勢する。
【００４０】
なお、バネ９２は、ねじりコイルバネに限定されることはなく、第２レバー９１が第１レバー５５を押圧する方向に第２レバー９２を付勢するバネであればよく、圧縮コイルバネ、引張コイルバネ、板バネ等であってもよい。
【００４１】
駆動ギヤ９３は、左右方向において第２レバー９１と重なるように装置本体２に回転可能に設けられ、モータ４によって回転されることで第２レバー９１を駆動させるセクタギヤである。駆動ギヤ９３は、歯底円の内側に軸部９３１と、第２ボス９３２と、規制部９３３とを有している。軸部９３１は、左右方向に延びる円柱状の部材であり、装置本体２に設けられた図示しない孔部に回動可能に支持される。
【００４２】
第２ボス９３２は、駆動ギヤ９３の右面における偏心位置を中心として右方へ延びる円柱状の部材である。本実施形態において、第２ボス９３２は軸部９３１を含む位置に形成されている。第２ボス９３２には、バネ９２の付勢力により第１ボス９１３が当接している。よって、駆動ギヤ９３が回転方向Ａに回転するとき、第２ボス９３２はバネ９２の付勢力に抗して第１ボス９１３を押しながら軸部９３１を中心に回転する。このとき、第１ボス９１３が変位することによって、第２レバー９１は、第１位置（図５に示す位置）と第２位置（図７に示す位置）との間で揺動する。
【００４３】
また、第２ボス９３２の周囲には規制部９３３との間に形成される空間がある。この空間を退避領域として、第１ボス９１３は第２ボス９３２から離れて変位可能である。すなわち、停電等によって第２レバー９１が第１レバー５５を押圧している第１位置で停止しているときに、現像カートリッジ５１が取り出される方向に変位すると、第２レバー９１は第１レバー５５に押されバネ９２の付勢力に抗して第２位置へ向かって揺動することができる。よって、第１レバー５５が第２レバー９１に引っ掛かり、現像カートリッジ５１を引き出すことができないという着脱障害を回避することができる。
【００４４】
また、本実施形態では第２ボス９３２が円柱形状であることにより、第２ボス９３２が角柱形状である場合に比べて第２レバー９１を滑らかに揺動させることができる。なお、第２ボス９３２の滑らかな動作を必要としなければ、第２ボス９３２は角柱形状であってもよい。
【００４５】
規制部９３３は、第２ボス９３２との間に溝部９３４を形成するように第２ボス９３２を囲む環形状の部材である。本実施形態では、駆動ギヤ９３の歯底円の内側を掘り込むことで溝部９３４が形成され、溝部９３４の内側壁面が第２ボス９３２、溝部９３４の外側壁面が規制部９３３となっている。すなわち、規制部９３３は、右方から見て軸部９３１を中心とする円形となっている。
【００４６】
規制部９３３は、第１位置にある第２レバー９１が第１レバー５５で押され、第２レバー９１が第２位置を越えた第３位置（図８に示す位置）へ揺動したときに、第１ボス９１３と当接して第２レバー９１の揺動を規制する。第２レバー９１が第３位置を越えて揺動できないように規制することにより、第２レバー９１やバネ９２等の部材の破損を抑制できる。
【００４７】
溝部９３４は、駆動ギヤ９３の回転方向Ａに沿って幅が変化する形状を有する。これにより、駆動ギヤ９３がどの回転位置にあっても、規制部９３３は第２レバー９１が第３位置を越えて揺動しないように規制することができる。したがって、規制部９３３によって第２レバー９１が第１位置以外にあるときでも意図しない揺動を規制することができる。例えば、第２レバー９１が第２位置にあるとき、第２レバー９１は第３位置までは揺動できるが、第３位置を越えて揺動することはできない。なお、規制部９３３は必須の構成ではない。
【００４８】
上記の着脱障害を回避する構成は、現像カートリッジ５１だけでなく、シートカセット１０など画像形成装置１における着脱可能なユニットであれば、適用することができる。
【００４９】
［実施形態の効果］
上記の画像形成装置１は、装置本体２と、装置本体２に対して着脱可能に装着され、揺動可能な第１レバー５５を有する現像カートリッジ５１とを備える。また画像形成装置１は、回動軸心Ｒを中心に揺動可能に装置本体２に設けられ、装着された現像カートリッジ５１の第１レバー５５を押圧可能であり、回動軸心Ｒ方向に突出した第１ボス９１３を有する第２レバー９１を備える。また画像形成装置１は、第２レバー９１が第１レバー５５を押圧する方向に第２レバー９１を付勢するバネ９２と、回転可能に装置本体２に設けられ、バネ９２の付勢力に抗して第１ボス９１３と当接する第２ボス９３２を偏心位置に有する駆動ギヤ９３とを備える。そして、第２レバー９１は、バネ９２によって付勢されて第１レバー５５を押圧する第１位置と、駆動ギヤ９３が回転することによって第２ボス９３２が第１ボス９１３に当接して第１レバー５５から退避し現像カートリッジ５１を着脱可能とする第２位置との間で揺動可能であり、第１レバー５５を押圧している第１位置にあるときに現像カートリッジ５１が取り出される方向に変位すると第１レバー５５に押されてバネ９２の付勢力に抗して第２位置へ向かって揺動する。
【００５０】
この構成によれば、第２レバー９１が第１レバー５５を押圧している状態で現像カートリッジ５１が引き出された場合、第１レバー５５が第２レバー９１を押し、第１ボス９１３が第２ボス９３２から離れることにより、第２レバー９１が第２位置へ向かって揺動する。よって、第１レバー５５が第２レバー９１に引っ掛かって現像カートリッジ５１の着脱障害となることが抑制される。
【００５１】
また上記の画像形成装置１によれば、駆動ギヤ９３は、第１位置にある第２レバー９１が第１レバー５５で押され、第２レバー９１が第２位置を越えた第３位置へ揺動したときに、第１ボス９１３と当接して第２レバー９１の揺動を規制する規制部９３３を有する。
【００５２】
この構成によれば、第２レバー９１が第３位置を越えて揺動できないように規制することにより、各部材の破損を抑制できる。
【００５３】
また上記の画像形成装置１によれば、規制部９３３は、第２ボス９３２との間に溝部９３４を形成するように第２ボス９３２を囲む環形状を有する。溝部９３４は、駆動ギヤ９３の回転方向に沿って幅が変化する形状を有する。
【００５４】
この構成によれば、規制部９３３によって第２レバー９１の第１位置以外での意図しない揺動を規制することができる。
【００５５】
また上記の画像形成装置１によれば、第２レバー９１は、回動軸心Ｒから第１ボス９１３までの距離Ｌ１が回動軸心Ｒから第１レバー５５に当接する当接部９１Ａまでの距離Ｌ２よりも短く構成される。
【００５６】
この構成によれば、第２レバー９１が揺動する際、第１ボス９１３の変位量が当接部９１Ａの変位量よりも小さくなるため、第２レバー９１を小型化できる。
【００５７】
また上記の画像形成装置１によれば、第２レバー９１の回動軸心Ｒ方向に沿って、駆動ギヤ９３、第２レバー９１、バネ９２の順に配置される。
【００５８】
この構成によれば、各部材を回動軸心Ｒ方向に沿って一方向から組み付けることができ、作業性がよい。
【００５９】
また上記の画像形成装置１によれば、第２ボス９３２が円柱形状である。
【００６０】
この構成によれば、第２ボス９３２が角柱形状である場合に比べて第２レバー９１を滑らかに揺動させることができる。
【符号の説明】
【００６１】
１          画像形成装置
２          装置本体
５１        現像カートリッジ
５５        第１レバー
９１        第２レバー
９１Ａ      当接部
９２        バネ
９３        駆動ギヤ
９１３      第１ボス
９３２      第２ボス
９３３      規制部
９３４      溝部
Ｌ１        回動軸心から第１ボスまでの距離
Ｌ２        回動軸心から当接部までの距離
Ｒ          回動軸心
【図１】
2020154164.tif 000003
【図２】
2020154164.tif 000004
【図３】
2020154164.tif 000005
【図４】
2020154164.tif 000006
【図５】
2020154164.tif 000007
【図６】
2020154164.tif 000008
【図７】
2020154164.tif 000009
【図８】
2020154164.tif 000010